(57)【要約】【課題】ユニットの搭載台にロック機構を設ける場合よりも低コストであり、段階的なロック位置を簡単に設定できるケーブルガイド動作規制装置を提供する。【解決手段】ケーブルガイド動作規制装置は、規制ロックレバー２０とＬ字金具３０とを組み合わせて構成される。Ｌ字金具３０は、ケーブルガイドに固定される固定プレート３１と、この固定プレート３１の面に対して４５°に傾斜された係止片３２とを有するものが一体に形成されている。規制ロックレバー２０は、筐体に固定される固定プレート２１と、その上下の辺から延出される第１水平プレート２２および第２水平プレート２３と、第１水平プレート２２より垂下されてＬ字金具３０の係止片３２と係止することでケーブルガイドの動作がロックされる係止片２４と、第２水平プレート２３に接続されている弾性支持部２５および操作部２６とを有し、ばね性の金属板によって一体に形成されている。【選択図】図１
2015211605.tif 000002
【特許請求の範囲】
【請求項１】
ケーブルガイドの引き出しまたは収納方向の動作を所定位置にてロックまたはロック解除するケーブルガイド動作規制装置であって、
第１係止片が前記ケーブルガイドの固定面より突出する方向に向けられた状態で前記ケーブルガイドに固定される少なくとも１つの係止部材と、
前記係止部材と係脱可能状態で前記ケーブルガイドを収容する筐体内の構造体に固定される規制ロックレバーと、
を備え、
前記規制ロックレバーは、前記係止部材の前記第１係止片と係止することで前記ケーブルガイドの引き出し動作または収納動作をロックする第２係止片と、前記第１係止片が前記第２係止片と係止するレベルまで前記ケーブルガイドを移動させて支持する弾性支持部と、前記弾性支持部に連結されて前記第１係止片が前記第２係止片と係止するレベルから離れる方向に前記ケーブルガイドを移動可能状態にして前記ケーブルガイドの引き出しまたは収納方向のロックを解除することができる操作部とを有していることを特徴とするケーブルガイド動作規制装置。
【請求項２】
前記規制ロックレバーは、前記第２係止片と前記弾性支持部との間隔が、前記係止部材の前記第１係止片を含む前記ケーブルガイドの高さより小さく、かつ、前記操作部が前記第２係止片から離れる方向に操作されたときの前記第２係止片と前記弾性支持部との間隔が、前記第１係止片を含む前記ケーブルガイドの高さより大きいことを特徴とする請求項１記載のケーブルガイド動作規制装置。
【請求項３】
前記係止部材は、前記第１係止片が前記ケーブルガイドの固定面に対して傾斜して形成されていることを特徴とする請求項１記載のケーブルガイド動作規制装置。
【請求項４】
前記第１係止片は、前記ケーブルガイドの固定面とのなす角度が４５°の傾斜を有していることを特徴とする請求項３記載のケーブルガイド動作規制装置。
【請求項５】
前記係止部材は、前記第１係止片が前記ケーブルガイドの固定面に対して直角をなす方向に形成されていることを特徴とする請求項１記載のケーブルガイド動作規制装置。
【請求項６】
前記係止部材は、互いに同一形状に形成されて屈曲可能に連結されることで前記ケーブルガイドを構成する複数のリンク部材の任意の少なくとも１つに固定されることを特徴とする請求項１記載のケーブルガイド動作規制装置。
【請求項７】
前記係止部材は、前記ケーブルガイドを構成する溝形鋼の長手方向に沿った任意の位置に固定されることを特徴とする請求項１記載のケーブルガイド動作規制装置。
【発明の詳細な説明】
【技術分野】
【０００１】
本発明は、筐体内の電子機器等のユニットと筐体に引き出し方向に進退自在に設置された電子機器等のユニットとを接続しているケーブルを保持するケーブルガイドの引き出しまたは収納の動作を一時的に規制するケーブルガイド動作規制装置に関する。
【背景技術】
【０００２】
電子機器等の複数のユニットを備える装置においては、保守性を考慮して、ユニットを筐体から引き出すことができるように構成されているものがある。引き出し可能なユニットは、スライドレールにより筐体に対して引き出し方向に進退自在にされた搭載台に搭載されている。この引き出し可能なユニットは、筐体内の他のユニットとケーブルにより電気的に接続されている。このようなケーブルは、ユニットの引き出しまたは収納の動作の際に筐体内の構造体に接触する等して断線することがないようケーブルガイドに保持されている。
【０００３】
ケーブルガイドは、ケーブルの長さに応じて長さを自由に変更することができ、ケーブルを屈曲可能に保持できるようにしたチェーン状のものが知られている（たとえば、特許文献１参照）。このチェーン状のケーブルガイドは、互いに同一形状に形成されたリンク部材を複数屈曲可能に連結し、この複数のリンク部材の内部に、ケーブルを屈曲可能に保持するようにしている。
【０００４】
ケーブルガイドは、通常、複数本のケーブルを束ねて保持しているが、分散配置された複数のユニットと接続するケーブルの束の場合には、長さの異なるケーブルが束の途中から分岐しているものを保持していることもある。このため、たとえば保守等でユニットを引き出したり収納したりする場合、それぞれのケーブルの長さに応じた搭載台の引き出し位置でケーブルコネクタの着脱をすることになる。しかし、搭載台を適切な引き出し位置にした状態でケーブルコネクタの着脱が行われない場合には、ケーブルが引っ張られ過ぎて断線してしまうことがある。このため、ユニットの搭載台には、所定の引き出し位置にて引き出しまたは収納の動作を規制するロック機構を備えているものが多い。このロック機構により、搭載台は、引き出す最中に、所定の引き出し位置にて引き出し動作がロックされるため、ユニットに繋がれているケーブルが必要以上に引っ張られることがなく、ケーブルが断線することもない。
【先行技術文献】
【特許文献】
【０００５】
【特許文献１】特開平７−１１１７２１号公報
【発明の概要】
【発明が解決しようとする課題】
【０００６】
ユニットの搭載台にロック機構を備える場合、たとえケーブルフォーミングにおいてケーブルの長さにばらつきがあったとしても、搭載台のロック位置をケーブルが伸びきらない最適の位置に調節しなければならないという課題があった。また、搭載台がロックされる位置をケーブルの長さに応じて複数設け、ケーブルの着脱を段階的に行う場合には、ロック位置の数だけ複雑なロック機構が必要となるが、その分、加工コストもかなり上昇してしまうという課題があった。
【０００７】
本発明はこのような点に鑑みてなされたものであり、ユニットの搭載台にロック機構を設ける場合よりも低コストであり、しかも、段階的なロック位置の設定を低コストで実現するケーブルガイド動作規制装置を提供することを目的とする。
【課題を解決するための手段】
【０００８】
本発明では上記の課題を解決するために、ケーブルガイドの引き出しまたは収納方向の動作を所定位置にてロックまたはロック解除するケーブルガイド動作規制装置が提供される。このケーブルガイド動作規制装置は、第１係止片がケーブルガイドの固定面より突出する方向に向けられた状態でケーブルガイドに固定される少なくとも１つの係止部材と、係止部材と係脱可能状態でケーブルガイドを収容する筐体内の構造体に固定される規制ロックレバーと、を備えている。規制ロックレバーは、係止部材の第１係止片と係止することでケーブルガイドの引き出し動作または収納動作をロックする第２係止片と、第１係止片が第２係止片と係止するレベルまでケーブルガイドを移動させて支持する弾性支持部と、弾性支持部に連結されて第１係止片が第２係止片と係止するレベルから離れる方向にケーブルガイドを移動可能状態にしてケーブルガイドの引き出しまたは収納方向のロックを解除することができる操作部とを有していることを特徴とする。
【０００９】
このようなケーブルガイド動作規制装置によれば、ケーブルガイドは、その引き出しまたは収納動作時に、ケーブルガイドに固定された係止部材の第１係止片が規制ロックレバーの第２係止片と係止することでケーブルガイドがロックされる。ロックされたケーブルガイドは、ケーブルガイドが乗っている弾性支持部を操作部が変形させることで第１係止片と第２係止片との係止状態が解かれ、ケーブルガイドのロックが解除される。
【発明の効果】
【００１０】
上記構成のケーブルガイド動作規制装置は、ユニットの搭載台の引き出しまたは収納動作に連動して動くケーブルガイドの任意の位置に設けて使用されるため、規制位置を任意に設定することができるという利点がある。また、規制位置を複数設定する場合でも、係止部材を増やすだけなので、ケーブルガイド動作規制装置を低コストで実現できるという利点がある。
【図面の簡単な説明】
【００１１】
【図１】第１の実施の形態に係るケーブルガイド動作規制装置の構成要素を示す図であって、（Ａ）は規制ロックレバーを示す斜視図、（Ｂ）はＬ字金具を示す斜視図、（Ｃ）はＬ字金具を示す側面図である。
【図２】ケーブルガイド動作規制装置のケーブルガイドへの取付位置関係を示す説明図である。
【図３】ケーブルガイド動作規制装置へのケーブルガイドの取り付け状態を示す図であって、（Ａ）はケーブルガイドが引き出される前の状態を示した斜視図、（Ｂ）はケーブルガイドがロックされた状態を示す斜視図である。
【図４】ケーブルガイド動作規制装置の引き出し時動作を説明する部分側面図であって、（Ａ）はケーブルガイドのロック状態を示し、（Ｂ）はケーブルガイドのロック解除操作状態を示し、（Ｃ）はロック解除操作後の引き出し動作再開の状態を示す図である。
【図５】ケーブルガイド動作規制装置の収納時動作を説明する部分側面図であって、（Ａ）はケーブルガイドのロック状態を示し、（Ｂ）はケーブルガイドのロック解除操作状態を示し、（Ｃ）はロック解除操作後の収納動作再開の状態を示す図である。
【図６】第２の実施の形態に係るケーブルガイド動作規制装置のＬ字金具を示す図であって、（Ａ）はＬ字金具を示す斜視図、（Ｂ）はＬ字金具を示す側面図である。
【図７】ケーブルガイド動作規制装置の引き出し時動作を説明する部分側面図であって、（Ａ）はケーブルガイドのロック状態を示し、（Ｂ）はケーブルガイドのロック解除操作状態を示し、（Ｃ）はロック解除操作後の引き出し動作再開の状態を示す図である。
【図８】第３の実施の形態に係るケーブルガイド動作規制装置の構成要素の一部を示す斜視図である。
【図９】チェーン状のケーブルガイドを有するユニットへ適用した例を示す図であって、（Ａ）は収納状態を示し、（Ｂ）は引き出し状態を示す斜視図である。
【図１０】ケーブルガイド動作規制装置をストレートタイプのケーブルガイドを有するユニットへ適用した例を示す斜視図である。
【発明を実施するための形態】
【００１２】
以下、本発明の実施の形態について、図面を参照して詳細に説明する。なお、それぞれの実施の形態は、矛盾のない範囲で他の複数の実施の形態を組み合わせて実施することができる。
【００１３】
図１は第１の実施の形態に係るケーブルガイド動作規制装置の構成要素を示す図であって、（Ａ）は規制ロックレバーを示す斜視図、（Ｂ）はＬ字金具を示す斜視図、（Ｃ）はＬ字金具を示す側面図である。図２はケーブルガイド動作規制装置のケーブルガイドへの取付位置関係を示す説明図である。
【００１４】
ケーブルガイド動作規制装置は、ケーブルガイド１０の引き出し・収納方向の動作を所定位置にてロックしたりロック解除したりするものであって、図１の（Ａ）に示す規制ロックレバー２０と（Ｂ）および（Ｃ）に示すＬ字金具３０とを備えている。
【００１５】
ケーブルガイド１０は、図２に示した例では、互いに同一形状に形成されたリンク部材１１を複数屈曲可能に連結してなるものであり、内部にケーブルを屈曲可能に保持できるようにしたチェーン状のものとしている。このチェーン状のケーブルガイド１０は、リンク部材１１の連結数に応じて長さを変更することができ、リンク部材１１の連結位置の係合形状によってケーブルを屈曲状態で保持する最小の曲率半径を設定することができる。また、リンク部材１１は、一対の側壁と、その一対の側壁を所定の間隔だけ離間した状態で上下方向の一辺を連結する連結部とを有し、その連結部には、ケーブルガイド１０の一端を筐体内のフレーム等にねじ止めするための取付孔１２を有している。
【００１６】
規制ロックレバー２０は、電子機器等のユニットを引き出し可能に収納する筐体に固定されて、ユニットの引き出し・収納動作に連動して引き出し・収納方向に動くケーブルガイド１０を、支持する。規制ロックレバー２０は、また、Ｌ字金具３０と協働してロックまたはロック解除する。
【００１７】
規制ロックレバー２０は、筐体のフレーム等に垂直状態で固定される固定プレート２１を有している。このため、図示はしないが、固定プレート２１には、この固定プレート２１をねじ止めするための取付孔が設けられている。固定プレート２１の上辺からは、第１水平プレート２２が水平方向に延出されており、固定プレート２１の底辺からは、第２水平プレート２３が第１水平プレート２２と対向するよう水平方向に延出されている。
【００１８】
第１水平プレート２２は、固定プレート２１から延出される方向と直交する方向の辺縁部のうち、一方の辺縁部より、係止片２４が垂下されている。第２水平プレート２３は、固定プレート２１から延出される方向と直交する方向の辺縁部のうちの一方に弾性支持部２５が接続され、その弾性支持部２５の第２水平プレート２３との接続側とは反対側の辺縁部には、操作部２６が接続されている。弾性支持部２５は、弾性を有するよう部分円筒形状を有し、第２水平プレート２３と接続される辺縁部を中心に操作部２６が接続されている側の辺縁部が上下方向に撓むことができるようにしている。
【００１９】
規制ロックレバー２０は、好ましくは、固定プレート２１、第１水平プレート２２、第２水平プレート２３、係止片２４、弾性支持部２５および操作部２６をばね性の金属板によって一体に形成されているのがよい。もちろん、規制ロックレバー２０は、弾性支持部２５のみ弾性を有する別体の材料で構成して第２水平プレート２３に固定するような形で構成されていてもよい。
【００２０】
Ｌ字金具３０は、ケーブルガイド１０のリンク部材１１に固定されて、ユニットの引き出し・収納動作に連動して引き出し・収納方向に動くケーブルガイド１０を規制ロックレバー２０と協働してロックまたはロック解除するものである。したがって、Ｌ字金具３０は、ケーブルガイド１０をロックしたい位置まで引き出していたときに規制ロックレバー２０のある位置に位置するリンク部材１１に固定される。ケーブルガイド１０をロックしたい位置が複数ある場合には、それぞれの引き出し位置で規制ロックレバー２０が位置するリンク部材１１にそれぞれＬ字金具３０を固定することになる。
【００２１】
Ｌ字金具３０は、図１の（Ｂ）および（Ｃ）に示したように、ケーブルガイド１０のリンク部材１１に固定される固定プレート３１と、この固定プレート３１の一方の縁端部に設けられた係止片３２とを有している。固定プレート３１および係止片３２は、一体に形成されていて、この第１の実施の形態では、係止片３２は、固定プレート３１の面に対してその縁端部から延在する方向とのなす角度が４５°の傾斜を有している。
【００２２】
Ｌ字金具３０は、また、固定プレート３１に取付孔３３を有しており、この取付孔３３は、内表面にねじ山のある雌ねじとするのがよい。これにより、Ｌ字金具３０は、リンク部材１１の内部からその取付孔１２を介してねじを通し、そのねじを取付孔３３に螺合させることによって、リンク部材１１に固定することができる。なお、Ｌ字金具３０は、係止部材としての一例であり、これに限定されない。
【００２３】
次に、ユニットを筐体から引き出すときに、ケーブルガイド動作規制装置が所定の位置でケーブルガイド１０をロックする場合を例に、ケーブルガイド動作規制装置の動作について説明する。
【００２４】
図３はケーブルガイド動作規制装置へのケーブルガイドの取り付け状態を示す図であって、（Ａ）はケーブルガイドが引き出される前の状態を示した斜視図、（Ｂ）はケーブルガイドがロックされた状態を示す斜視図である。図４はケーブルガイド動作規制装置の引き出し時動作を説明する部分側面図であって、（Ａ）はケーブルガイドのロック状態を示し、（Ｂ）はケーブルガイドのロック解除操作状態を示し、（Ｃ）はロック解除操作後の引き出し動作再開の状態を示す図である。
【００２５】
まず、ケーブルガイド動作規制装置の規制ロックレバー２０は、筐体の構造体に固定され、図３の（Ａ）に示したように、対向配置された第１水平プレート２２および第２水平プレート２３の間にケーブルガイド１０の可動側の端部を配置し、支持している。また、ケーブルガイド１０を構成するリンク部材１１の１つには、係止片３２を引き出し方向の側に向けた状態でＬ字金具３０が固定されている。
【００２６】
ここで、たとえば、保守目的で筐体からユニットが引き出されると、それに伴ってケーブルガイド１０は、規制ロックレバー２０の弾性支持部２５に乗った状態で引き出されていく。やがて、図３の（Ｂ）に示したように、Ｌ字金具３０が規制ロックレバー２０の位置に達すると、図４の（Ａ）に示したように、Ｌ字金具３０の係止片３２が規制ロックレバー２０の係止片２４に当接し、ケーブルガイド１０の引き出し方向の動作がロックされる。
【００２７】
ケーブルガイド１０の動作がロックされることに伴い、ユニットの引き出し動作も停止されるので、このとき、ユニットに接続されているケーブルを取り外すことになる。図３に示したように、１つのＬ字金具３０による１段階のロックでは、ユニットに接続されているケーブルは、この段階で、すべて取り外される。
【００２８】
次に、ユニットのさらなる引き出しのために、規制ロックレバー２０とＬ字金具３０とによるロックを解除する。すなわち、図４の（Ｂ）に示したように、規制ロックレバー２０の操作部２６を押し下げて、弾性支持部２５を破線の状態から実線の状態に変形させる。これにより、弾性支持部２５は、第２水平プレート２３のレベルよりも高くならないので、ケーブルガイド１０は、その自重により第２水平プレート２３まで降下する。
【００２９】
ここで、ケーブルガイド１０が規制ロックレバー２０の弾性支持部２５に乗った状態での規制ロックレバー２０の係止片２４の先端（下端）のレベルと、Ｌ字金具３０の係止片３２の先端（上端）のレベルとの差をＬ１とする。また、ケーブルガイド１０が規制ロックレバー２０の弾性支持部２５に乗った状態での弾性支持部２５の最大レベルと、第２水平プレート２３のレベルとの差をＬ２とする。このケーブルガイド動作規制装置では、これらのレベルの差は、Ｌ１＜Ｌ２となるような関係に設定されている。
【００３０】
規制ロックレバー２０の操作部２６を押し下げ、ケーブルガイド１０を第２水平プレート２３まで降下させると、図４の（Ｃ）に示したように、係止片３２の先端（上端）が係止片２４の先端（下端）よりも低下するので、この段階でロックが解除される。ロックが解除されたケーブルガイド１０は、保守の済んだユニットの収納時におけるケーブルの接続を容易にするためにロック位置よりもさらに引き出しておくことができる。また、図示はしないが、Ｌ字金具３０を複数設置してある場合には、最初にロックが解除されたケーブルガイド１０は、次のロック位置までさらに引き出しできることになる。
【００３１】
逆に、ユニットを筐体へ収納するときには、Ｌ字金具３０は、規制ロックレバー２０の係止片２４を容易に通過することができる。すなわち、Ｌ字金具３０の係止片３２は、収納方向に下がるように傾斜していて楔状になっているため、ユニットの収納時には、ケーブルガイド１０を支持している弾性支持部２５の弾性力に抗して係止片２４の先端（下端）を潜り込んで通過することができる。
【００３２】
次に、ユニットを筐体へ収納するときに、ケーブルガイド動作規制装置が所定の位置でケーブルガイド１０をロックするようにした場合の、ケーブルガイド動作規制装置の動作について説明する。
【００３３】
図５はケーブルガイド動作規制装置の収納時動作を説明する部分側面図であって、（Ａ）はケーブルガイドのロック状態を示し、（Ｂ）はケーブルガイドのロック解除操作状態を示し、（Ｃ）はロック解除操作後の収納動作再開の状態を示す図である。
【００３４】
まず、ケーブルガイド動作規制装置のＬ字金具３０は、ケーブルガイド１０を構成するリンク部材１１の少なくとも１つに、係止片３２が収納方向の側に向けた状態で固定されている。
【００３５】
ここで、ケーブルガイド１０が収納方向に進んでいくと、図５の（Ａ）に示したように、Ｌ字金具３０の係止片３２が規制ロックレバー２０の係止片２４に当接し、ケーブルガイド１０は、その収納方向の動作がロックされる。
【００３６】
次に、図５の（Ｂ）に示したように、規制ロックレバー２０の操作部２６が押し下げられることにより、弾性支持部２５は、破線の状態から実線の状態に変形させられる。これにより、ケーブルガイド１０は、図５の（Ｃ）に示したように、その自重により第２水平プレート２３まで降下され、ロックが解除される。次に、ケーブルガイド１０は、収納方向にさらに進めることができる。
【００３７】
逆に、ユニットを筐体から引き出すときには、Ｌ字金具３０は、規制ロックレバー２０の係止片２４によってロックされることなく、スムーズに係止片２４を通過していくことができる。
【００３８】
図６は第２の実施の形態に係るケーブルガイド動作規制装置のＬ字金具を示す図であって、（Ａ）はＬ字金具を示す斜視図、（Ｂ）はＬ字金具を示す側面図である。図７はケーブルガイド動作規制装置の引き出し時動作を説明する部分側面図であって、（Ａ）はケーブルガイドのロック状態を示し、（Ｂ）はケーブルガイドのロック解除操作状態を示し、（Ｃ）はロック解除操作後の引き出し動作再開の状態を示す図である。なお、この図６および図７において、図１および図４に示した構成要素と同じまたは均等の構成要素については同じ符号を付してその詳細な説明は省略する。
【００３９】
この第２の実施の形態に係るケーブルガイド動作規制装置のＬ字金具３０は、図６の（Ａ）および（Ｂ）に示したように、固定プレート３１の一方の縁端部に設けられた係止片３２は、固定プレート３１の面に対してその縁端部から直角方向に起立している。
【００４０】
ユニットを筐体から引き出すときのケーブルガイド動作規制装置の動作は、図４で説明した動作と同じである。すなわち、ケーブルガイド１０が引き出されてＬ字金具３０が規制ロックレバー２０の位置に達すると、図７の（Ａ）に示したように、Ｌ字金具３０の係止片３２が規制ロックレバー２０の係止片２４に当接し、ケーブルガイド１０は、その動作がロックされる。
【００４１】
次に、規制ロックレバー２０とＬ字金具３０とによるロックを解除するには、図７の（Ｂ）に示したように、規制ロックレバー２０の操作部２６を押し下げて、弾性支持部２５を破線の状態から実線の状態に変形させる。
【００４２】
これにより、弾性支持部２５に乗っていたケーブルガイド１０は、第２水平プレート２３まで降下され、図７の（Ｃ）に示したように、係止片３２と係止片２４との係止状態、すなわち、ケーブルガイド１０のロック状態が解除される。
【００４３】
なお、本実施の形態のＬ字金具３０の係止片３２は、固定プレート３１に対して直角に折り曲げられているので、収納方向においても、引き出し方向の場合と同じように規制ロックレバー２０の係止片２４に係止される。また、ロック解除も、規制ロックレバー２０の操作部２６を使って、同じように行うことができる。
【００４４】
図８は第３の実施の形態に係るケーブルガイド動作規制装置の構成要素の一部を示す斜視図、図９はチェーン状のケーブルガイドを有するユニットへ適用した例を示す図であって、（Ａ）は収納状態を示し、（Ｂ）は引き出し状態を示す斜視図である。なお、この図８において、図１および図２に示した構成要素と同じまたは均等の構成要素については同じ符号を付してその詳細な説明は省略する。
【００４５】
この第３の実施の形態に係るケーブルガイド動作規制装置は、図８に示した規制ロックレバー２０および取付金具４０と、図１または図６に示したＬ字金具３０とを備えている。規制ロックレバー２０は、ばね性の金属板によって一体に形成されたものである。
【００４６】
取付金具４０は、図９に示したように、ユニット５０を収納する筐体５１の内壁に取り付けられて、規制ロックレバー２０を筐体５１の内部に固定するためのものである。取付金具４０は、取付プレート４１と、その上下縁端部より直角方向に延出された第１支持プレート４２および第２支持プレート４３と、取付プレート４１の左右縁端部に設けられた脚部４４とを有している。取付金具４０は、好ましくは、規制ロックレバー２０よりも強度のある板金によって一体に形成される。
【００４７】
取付金具４０の取付プレート４１、第１支持プレート４２および第２支持プレート４３は、規制ロックレバー２０の固定プレート２１、第１水平プレート２２および第２水平プレート２３を収容して固定する。そのため、取付プレート４１および第１支持プレート４２には、内表面にねじ山を有する取付孔４５，４６が形成され、規制ロックレバー２０の固定プレート２１および第１水平プレート２２の対応位置には、ねじを通す取付孔２７，２８が穿設されている。なお、規制ロックレバー２０の第２水平プレート２３の開口部２９および取付金具４０の第２支持プレート４３の開口部４７は、第１水平プレート２２を第１支持プレート４２にねじ止めするときに使用するドライバーの回転軸を通すためのものである。
【００４８】
ユニット５０は、その両側壁面に水平方向に延びるように設けられたガイド５２を筐体５１の両側壁面の内側に設けられた水平方向に延びるレール５３に沿って摺動させることにより、引き出し方向または収納方向に進退自在になっている。取付金具４０は、筐体５１の開口部の近傍でレール５３の上部に取り付けられており、その取付金具４０に規制ロックレバー２０が固定されている。ケーブルガイド１０は、その一方の端部が規制ロックレバー２０に進退可能に装着され、途中で折り返されて、他方の端部が筐体５１の側壁等の構造体に固定されている。ケーブルガイド１０は、また、内部にケーブル５４を保持しており、ケーブルガイド１０の一方の端部から伸びているケーブル５４は、コネクタによってユニット５０に接続されている。
【００４９】
ユニット５０が筐体５１内に収納されている図９の（Ａ）の状態から引き出されていくと、やがて、図９の（Ｂ）に示したように、ケーブルガイド１０に固定されたＬ字金具３０が規制ロックレバー２０に係止される。この状態では、ケーブルガイド１０に保持されているケーブル５４を引き出すことができないので、ケーブル５４で繋がっているユニット５０もこのロック位置からさらに引き出すことができなくなる。これにより、ケーブルガイド１０の一方の端部を引き出すことができなくなる引き出し位置よりも手前でケーブルガイド１０自体の引き出しが規制されるので、これに保持されているケーブル５４が必要以上に引き出されることがなくなる。また、ケーブルガイド１０自体も、引き出し可能な引き出し位置よりも手前でロックされるために、必要以上に引き出されて破損されてしまうこともない。
【００５０】
図１０はケーブルガイド動作規制装置をストレートタイプのケーブルガイドを有するユニットへ適用した例を示す斜視図である。なお、この図１０において、図８および図９に示した構成要素と同じまたは均等の構成要素については同じ符号を付してその詳細な説明は省略する。
【００５１】
このケーブルガイド１０は、ストレートタイプの一対の溝形鋼１３，１４を有している。一方の溝形鋼１３は、規制ロックレバー２０に進退可能に装着され、他方の溝形鋼１４は、構造体等に固定され、内部にケーブル５４を保持している。溝形鋼１３は、その上面に長手方向に沿って複数の取付孔１５が穿設され、その取付孔１５には、ケーブルガイド動作規制装置のＬ字金具３０が固定される。
【００５２】
ストレートタイプのケーブルガイド１０を用いた場合でも、溝形鋼１３は、規制ロックレバー２０の弾性支持部２５に乗った状態で引き出し可能に規制ロックレバー２０に装着されている。溝形鋼１３が引き出されて、Ｌ字金具３０が規制ロックレバー２０に係止されることにより溝形鋼１３がロックされ、操作部２６を押し下げるように操作して弾性支持部２５を変形されることで、ロックを解除することができる。
【符号の説明】
【００５３】
１０  ケーブルガイド
１１  リンク部材
１２  取付孔
１３，１４  溝形鋼
１５  取付孔
２０  規制ロックレバー
２１  固定プレート
２２  第１水平プレート
２３  第２水平プレート
２４  係止片
２５  弾性支持部
２６  操作部
２７，２８  取付孔
２９  開口部
３０  Ｌ字金具（係止部材）
３１  固定プレート
３２  係止片
３３  取付孔
４０  取付金具
４１  取付プレート
４２  第１支持プレート
４３  第２支持プレート
４４  脚部
４５，４６  取付孔
４７  開口部
５０  ユニット
５１  筐体
５２  ガイド
５３  レール
５４  ケーブル
【図１】
2015211605.tif 000003
【図２】
2015211605.tif 000004
【図３】
2015211605.tif 000005
【図４】
2015211605.tif 000006
【図５】
2015211605.tif 000007
【図６】
2015211605.tif 000008
【図７】
2015211605.tif 000009
【図８】
2015211605.tif 000010
【図９】
2015211605.tif 000011
【図１０】
2015211605.tif 000012